(57)【要約】【課題】１動作で簡単に成形品を脱型することができ、しかも美麗な仕上がりとなる成形用金型と、それを用いた合成樹脂製品の製法と、その製法によって得られる合成樹脂製品を提供する。【解決手段】根元部２３がベースプレートに取り付けられ先端側に延びる両側面が先端部に向かうほど互いに接近するテーパ状に形成された土台部２０と、上記土台部２０の両側面に沿ってそれぞれ進退自在に取り付けられ先端部に雌ねじ賦形部３１が形成された２個一対の分割賦形部２１、２２とを有し、この２個一対の分割賦形部２１、２２が、成形後に、上記土台部２３のテーパ状両側面に沿って前進して互いに接近し、上記雌ねじ賦形部３１と成形品雌ねじ部との係合が外れるようになっている金型を用いるようにした。【選択図】図２
2005238564.tif 000002
【特許請求の範囲】
【請求項１】
雌ねじ部を有する合成樹脂製品の射出成形に用いられる金型であって、ベースプレートと、根元部が上記ベースプレートに取り付けられ先端部に雌ねじ賦形部が形成された第１の金型Ａと、上記第１の金型Ａの先端部と対峙する位置に配置され、射出成形時に前進して上記第１の金型Ａとの間で成形空間を形成し、射出成形後に成形品を保持した状態で後退するよう設定された第２の金型Ｂとを備え、上記第１の金型Ａは、根元部がベースプレートに取り付けられ先端側に延びる両側面が先端部に向かうほど互いに接近するテーパ状に形成された土台部と、上記土台部の両側面に沿ってそれぞれ進退自在に取り付けられ先端部に雌ねじ賦形部が形成された２個一対の分割賦形部とを有し、この２個一対の分割賦形部が、上記第２の金型Ｂの後退と同時に土台部のテーパ状両側面に沿って前進して互いに接近し、上記雌ねじ賦形部と成形品雌ねじ部との係合が外れるようになっていることを特徴とする成形用金型。
【請求項２】
上記第１の金型Ａの土台部が、ベースプレートに対し周方向に回動自在に取り付けられており、上記土台部をベースプレート裏面側から周方向に回動させることにより、第１の金型Ａにおける雌ねじ賦形部の周方向の位置が調整できるようになっている請求項１記載の成形用金型。
【請求項３】
請求項１または２記載の成形用金型を用いて、雌ねじ部を有する合成樹脂製品を成形することを特徴とする合成樹脂製品の製法。
【請求項４】
請求項３の合成樹脂製品の製法によって得られることを特徴とする合成樹脂製品。
【発明の詳細な説明】
【技術分野】
【０００１】
本発明は、雌ねじ部を有する合成樹脂製品の成形に用いられる金型およびそれを用いた合成樹脂製品の製法、並びにそれによって得られる合成樹脂製品に関するものである。
【背景技術】
【０００２】
合成樹脂製のキャップのように、内側にねじ部が形成された形状（雌ねじ部）を有する合成樹脂製品を射出成形で得る場合、成形品を脱型するには、成形品の雌ねじ部と、金型の雌ねじ部賦形部との係合を外さなければならないため、外側の金型を外したのち、内側の金型を回転させて成形品との係合を外す等の工夫が必要である。
【０００３】
例えば、合成樹脂製のキャップを、分割可能な金型を可動側に設け、この金型との間で成形空間を形成する回転可能な金型を固定側に設けるとともに、この成形空間内に出没可能な押圧体をその中心を貫通するように取り付けた金型が提案されている（特許文献１参照）。
【特許文献１】特開平１０−１６０１７号公報
【発明の開示】
【発明が解決しようとする課題】
【０００４】
しかしながら、金型をいちいち回転させて成形品との係合を外して取り出すことは、手間と時間を要し、作業効率が悪いという問題がある。また、成形品が大径であったり、ねじ山数が多いと、金型と成形品の噛み合い面積が大きくなるため両者が離れにくく、無理に離すとねじ山に歪みや損傷が生じるおそれがあるという問題もある。
【０００５】
本発明は、このような事情に鑑みなされたもので、１動作で簡単に成形品を脱型することができ、しかも美麗な仕上がりとなる成形用金型と、それを用いた合成樹脂製品の製法と、その製法によって得られる合成樹脂製品の提供をその目的とする。
【課題を解決するための手段】
【０００６】
上記の目的を達成するため、本発明は、雌ねじ部を有する合成樹脂製品の射出成形に用いられる金型であって、ベースプレートと、根元部が上記ベースプレートに取り付けられ先端部に雌ねじ賦形部が形成された第１の金型Ａと、上記第１の金型Ａの先端部と対峙する位置に配置され、射出成形時に前進して上記第１の金型Ａとの間で成形空間を形成し、射出成形後に成形品を保持した状態で後退するよう設定された第２の金型Ｂとを備え、上記第１の金型Ａは、根元部がベースプレートに取り付けられ先端側に延びる両側面が先端部に向かうほど互いに接近するテーパ状に形成された土台部と、上記土台部の両側面に沿ってそれぞれ進退自在に取り付けられ先端部に雌ねじ賦形部が形成された２個一対の分割賦形部とを有し、この２個一対の分割賦形部が、上記第２の金型Ｂの後退と同時に土台部のテーパ状両側面に沿って前進して互いに接近し、上記雌ねじ賦形部と成形品雌ねじ部との係合が外れるようになっている成形用金型を第１の要旨とする。
【０００７】
また、本発明は、上記成形用金型のなかでも、特に、上記第１の金型Ａの土台部が、ベースプレートに対し周方向に回動自在に取り付けられており、上記土台部をベースプレート裏面側から周方向に回動させることにより、第１の金型Ａにおける雌ねじ賦形部の周方向の位置が調整できるようになっている成形用金型を第２の要旨とする。
【０００８】
さらに、本発明は、上記第１または第２の要旨である成形用金型を用いて、雌ねじ部を有する合成樹脂製品を成形する合成樹脂製品の製法を第３の要旨とし、その製法によって得られる合成樹脂製品を第４の要旨とする。
【発明の効果】
【０００９】
すなわち、本発明の成形用金型によれば、雌ねじ部を賦形するための第１の金型Ａが、土台部と、土台部のテーパ状両側面に沿って進退する分割賦形部とで構成されているため、上記分割賦形部を前進させるだけで、成形品と分割賦形部との係合を外して成形品を簡単に取り出すことができ、作業効率がよい。そして、成形品の雌ねじ部に無理な負担がかからず、美麗な仕上がりとなる。
【００１０】
また、本発明の成形用金型のなかでも、特に、上記第１の金型Ａにおける雌ねじ賦形部の位置が、ベースプレート裏面側から調整可能になっているものは、外形状に対する雌ねじ部のねじ始まりの位置を調整する場合、試作品成形後、再び金型全体を開いて雌ねじ部賦形部の位置を調整する必要がないため、さらに優れた作業性を有する。
【００１１】
そして、上記成形用金型を用いた本発明の製法によれば、上記成形用金型の構造的な特徴により、非常に効率よく合成樹脂製品を得ることができる。
【００１２】
また、上記製法によって得られる本発明の合成樹脂製品は、雌ねじ部が美麗に仕上がっており、ねじがしっくりとら合する、優れた製品となる。
【発明を実施するための最良の形態】
【００１３】
つぎに、本発明を実施するための最良の形態について説明する。
【００１４】
図１は、本発明の成形用金型の最良の形態を示す部分断面説明図である。この成形用金型は、図５に示す、背の低い直方体形状の化粧料容器の蓋部１を、射出成形によって成形するのに用いられるものである。
【００１５】
上記蓋部１は、上面２が正方形状で、その周縁部から下向きに、四角筒状の側面部３が延設されている。また、上記側面部３の内側に、容器本体４の開口部に形成された雄ねじ部５とら合するための雌ねじ部６が延設されている。
【００１６】
上記蓋体１の成形に用いる成形用金型（図１に戻る）は、ベースプレート１０と、これに取り付けられる第１の金型Ａと、上記第１の金型Ａの先端部と対峙する位置に配置され、射出成形時に前進して、上記第１の金型Ａとの間で、目的とする蓋部１の形状となる成形空間Ｐを形成する第２の金型Ｂとを備えている。そして、これらの金型Ａ，Ｂは、４枚のガイドプレート１１〜１４の内側に嵌入保持されている。１５、１６、１７は締め込み用プレートである。また、１８は、射出機（図示せず）から射出される合成樹脂材料を金型Ａ内のライナ１９に供給するための供給プレートである。
【００１７】
上記第１の金型Ａとして、まず、蓋体１（図５参照）の雌ねじ部６を賦形するための型が、土台部２０と、２個一対の分割賦形部２１、２２とを組み合わせた形で設けられている。
【００１８】
上記土台部２０は、その根元部２３が、ベースプレート１０の穴３０の段差部に係合するフランジ部になっており、胴体部２４の先端側に延びる両側面が、先端部に向かうほど互いに接近するテーパ状に形成されている。また、その内部には、ライナ１９の一部が形成された内筒２５が嵌入されている。
【００１９】
一方、分割賦形部２１、２２は、上記土台部２０のテーパ状両側面に当接しており、土台部２０との連結部に設けられたガイドピン２６（図３参照）によって、土台部２０のテーパ状両側面に沿って進退するようになっている。そして、図２に示すように、土台部２０と組み合わせた形状が略円錐台状になっており、各分割賦形部２１、２２の先端部には、雌ねじ賦形部３１が、略半周分ずつ形成されている。
【００２０】
したがって、上記分割賦形部２１、２２が、これを保持するガイドプレート１１、１２とともに先端側に向かって前進すると、両者が互いに接近しながら先端側に突出するようになっている（図３参照）。
【００２１】
また、土台部２０の根元部２３は、ベースプレート１０の穴３０の段差部と係合して、周方向に回動自在に保持されている。そして、上記根元部２３の外周には、全周の略３分の１の部分に、ギヤ歯３２が形成されているとともに、図４に示すように、ベースプレート１０の裏面側（成形が行われる側とは反対側）には、穴３０の開口縁に、上記ギヤ歯３２と部分的に噛み合う係合爪３３がねじ止めにより着脱自在に設けられている。したがって、上記係合爪３３を、鎖線で示すように外して、上記根元部２３のギヤ歯３２を、周方向に移動させることにより、分割賦形部２１、２２の先端に形成された雌ねじ部形成部の周方向の位置を、適宜調整することができるようになっている。なお、上記ギヤ歯３２の移動は、根元部２３に形成されたねじ穴４０に、適宜のねじ棒を差し込んで、矢印のように移動させることによって簡単に行うことができる。
【００２２】
さらに、第１の金型Ａ（図１に戻る）として、上記分割賦形部２１、２２の周囲に、蓋体１（図５参照）の雌ねじ部６と側面部３との間の部分を賦形するための部分型３５が設けられている。
【００２３】
一方、上記第１の金型Ａの先端部と対峙する位置に、第１の金型Ａとの間で成形空間Ｐを形成するための第２の金型Ｂが配置されている。上記第２の金型Ｂとしては、蓋体１の側面部３の外周面を賦形するための部分型３６と、蓋体１の上面２を賦形するための部分型３７とが設けられている。
【００２４】
これらの型３６、３７は、これを保持するガイドプレート１３、１４とともに進退するようになっており、成形時には、第１の金型Ａに向かって前進して成形空間Ｐを形成し、成形後は成形品を取り出すことができるよう大きく後退するようになっている。
【００２５】
したがって、上記成形用金型によれば、図１に示すように、第１の金型Ａおよび第２の金型Ｂを内部に保持した状態で、プレート類１０〜１８を圧締し、通常の射出成形と同様にして、成形空間Ｐ内で成形を行うことができる。そして、冷却後、プレート類１０〜１８の圧締を解除し、図３に示すように、第２の金型Ｂをガイドプレート１３、１４ごと、図面右方向に後退させると同時に、第１の金型Ａの分割賦形部２１、２２をガイドプレート１１、１２ごと右方向に前進させ、雌ねじ賦形部３１を成形品Ｑから外すようにする。そして、成形品Ｑを、部分型３６から外すことにより、簡単に成形品Ｑを得ることができる。
【００２６】
このようにして得られた成形品Ｑ（＝蓋体１）は、その雌ねじ部６が、金型の回転等により無理に外されたものではないため、美麗に仕上がっており、相手側の雄ねじ部５（図５参照）としっくりとら合する。
【００２７】
しかも、上記成形用金型によれば、第１の金型Ａにおける雌ねじ賦形部３１の周方向の位置が、ベースプレート１０の裏面から調整できるようになっているため、試作成形によって、外形状とねじ始まりの位置とがずれて、適正な位置関係でら合ができないことが判明した場合に、従来は、金型を全て開いて再調整する必要があったのに対し、この例では、裏面側の締め込み用プレート１７および供給プレート１８を外すだけで、簡単に調整することができ、作業効率が大幅にアップする、という利点を有している。
【００２８】
なお、上記の例において、第１の金型Ａの土台部２０に設けたテーパ状両側面のテーパ角度（図１においてθで示す）は、成形品Ｑの形状や金型開閉時のスペース等を勘案した上で、雌ねじ賦形部３１と成形品Ｑの雌ねじ部６との係合が充分に外れる程度に、分割賦形部２１、２２を接近させることができる角度に設定される。ちなみに、この例では、θ＝７°になっている。
【００２９】
そして、上記の例では、雌ねじ賦形部３１の周方向の位置決め調整を、ベースプレート１０の裏面側から行えるようにしており、そのために、土台部２０の根元部２３にギヤ歯３２を形成し、ベースプレート１０側に係合爪３３を着脱自在に設けているが、調整手段は、この構成に限定するものではなく、適宜の手段を用いることができる。例えば、上記ギヤ歯３２に噛み合うギヤを設け、このギヤに、つまみネジ等で回転を与えて調整できるようにしてもよい。
【００３０】
もちろん、上記の例は、成形品Ｑが、外形状が直方体となる容器の蓋体１であることから、ねじ始まりの位置を適正に決める必要があったが（ねじ始まりの位置によっては、蓋体１の角部と容器本体４の角部とがずれてしまう）、円柱状容器の蓋のように、ねじ始まりの位置が特に問題とならない場合は、雌ねじ賦形部３１の周方向の位置決め調整機能は、特に設けなくてもよい。
【００３１】
このように、本発明は、図５の蓋体１のような形状に限らず、雌ねじ部を有する各種射出成形品の製造に適用することができる。
【図面の簡単な説明】
【００３２】
【図１】本発明の一実施例の部分断面説明図である。
【図２】上記実施例に用いられる第１の金型Ａの部分的な説明図である。
【図３】上記実施例の使用態様の説明図である。
【図４】上記実施例に用いられる第１の金型Ａの部分的な説明図である。
【図５】上記実施例によって得られる製品の説明図である。
【符号の説明】
【００３３】
２０  土台部
２１、２２  分割賦形部
２３  根元部
３１  雌ねじ賦形部
【図１】
2005238564.tif 000003
【図２】
2005238564.tif 000004
【図３】
2005238564.tif 000005
【図４】
2005238564.tif 000006
【図５】
2005238564.tif 000007